(57)【特許請求の範囲】
【請求項１】
遊技盤と、前記遊技盤に装着された図柄表示装置と、前記遊技盤の前方に配されて自身と前記遊技盤との間に遊技領域となる空間を形成する平板状の透明板と、該透明板の遊技者側に配される透明カバーと、前記透明板及び前記透明カバーを保持する窓枠体とを備えて、前記遊技領域における遊技球の挙動によって遊技が行われるパチンコ遊技機において、
前記窓枠体（２２）には円形の窓（４０）が設けられ、
前記透明カバーは、プラスチック製であり、
外周部分（４４）は前記窓（４０）の内周に密着する筒状であり、外周部分（４４）の後端部にはフランジ（４５）が設けられており、
外周部分（４４）の前側には、前記遊技盤上の全ての入賞口が含まれる領域を覆う中央部が平坦な平面部（４２）で、中央部の左右は円錐の側面状の傾斜面（４３）となっていて、前記平面部（４２）が他の部分よりも遊技者側に突出した３次元形状部分が連設され、
前記外周部分（４４）を前記窓（４０）にはめ込まれることで前記窓（４０）の内側全域で前記透明板の前方を覆って前記窓枠体（２２）に保持されている
ことを特徴とするパチンコ遊技機。
【発明の詳細な説明】
【０００１】
【発明の属する技術分野】
本発明は、パチンコ遊技機の技術分野に属し、詳しくは遊技領域の前面側に配される透明カバーに関する。
【０００２】
【従来の技術】
パチンコ遊技機においては、遊技盤の前方に平板状の透明板（多くはガラス板）が配されて、その透明板と遊技盤との間に遊技領域となる空間が形成される。遊技領域には入賞装置や遊技釘、風車等が配置され、発射装置にて発射されて遊技領域に撃ち込まれた遊技球の挙動によって遊技が行われ、入賞等が成立すれば遊技球（賞球）が払い出されるのが普通である。
【０００３】
従って、遊技の実行だけなら透明板（ガラス板）は１枚だけでよいのだが、主に不正行為に対する耐性を高めるために、さらにもう１枚の透明カバー（これも多くはガラス板）を透明板の外側（遊技者側）に配していた。
ところで、遊技者が注視する遊技盤の表面にはいわゆるセル画が施され、また入賞装置等にもさまざまな装飾が施されているにもかかわらず、それらと遊技者との間に介在する透明カバーが平板であるために装飾性を十分に発揮できないことがあった。また、パチンコ遊技機の枠体の多くがプラスチック製にされていてさまざまなデザインが可能になっているのに、透明カバーが平坦なガラス板では枠体のデザインと釣り合わないこともあった。
【０００４】
このような事情から、透明カバーを球面状の立体として上記の問題の解決を図る発明が提案された（特開２００１−２５９１９４号公報）。
【０００５】
【発明が解決しようとする課題】
しかしながら、透明カバー全体を球面状にした場合、透過する光の屈折に伴う虹状の発色が見られ、それが遊技領域の視認性を損なうという問題が生じた。
【０００６】
【課題を解決するための手段及び発明の効果】
請求項１記載のパチンコ遊技機は、
遊技盤と、前記遊技盤に装着された図柄表示装置と、前記遊技盤の前方に配されて自身と前記遊技盤との間に遊技領域となる空間を形成する平板状の透明板と、該透明板の遊技者側に配される透明カバーと、前記透明板及び前記透明カバーを保持する窓枠体とを備えて、前記遊技領域における遊技球の挙動によって遊技が行われるパチンコ遊技機において、
前記窓枠体（２２）には円形の窓（４０）が設けられ、
前記透明カバーは、プラスチック製であり、
外周部分（４４）は前記窓（４０）の内周に密着する筒状であり、外周部分（４４）の後端部にはフランジ（４５）が設けられており、
外周部分（４４）の前側には、前記遊技盤上の全ての入賞口が含まれる領域を覆う中央部が平坦な平面部（４２）で、中央部の左右は円錐の側面状の傾斜面（４３）となっていて、前記平面部（４２）が他の部分よりも遊技者側に突出した３次元形状部分が連設され、
前記外周部分（４４）を前記窓（４０）にはめ込まれることで前記窓（４０）の内側全域で前記透明板の前方を覆って前記窓枠体（２２）に保持されている
ことを特徴とする。
【０００７】
透明カバーを例えば球面状にするのではなくて、遊技盤上の全ての入賞口が含まれる領域を覆う中央部を平坦な平面部（４２）にしているので、平面部（４２）を図柄表示装置の表示部に対面させれば、この平面部（４２）では光の屈折に伴う虹状の発色は無く、そのような発色が原因で図柄表示装置の表示部の視認性を損なうのを防止できる。
【０００８】
図柄表示装置の表示部とは、例えば液晶やＣＲＴの表示画面、ドラムやベルト等の図柄が遊技者に面する部分である。そのような表示部は、いわゆる大当たりの表示に用いられるので、遊技者が最も注目する部分である。透明カバーは、その表示部と遊技者との間に介在する部分が平面部（４２）であり、上述のように表示部の視認性を損なわないので、遊技者が不快を感じるおそれがない。また、遊技上で最重要と言っても過言ではない図柄が虹状の発色で誤認識されるおそれもない。
【０００９】
しかも、透明カバーは、上記の平面部（４２）が他の部分よりも遊技者側に突出した３次元形状であるから、パチンコ遊技機のデザインを立体的にできる。
【００１０】
透明カバーを例えば球面状にするのではなくて、遊技盤上の全ての入賞口が含まれる領域を覆う中央部を平坦な平面部（４２）にしているので、大入賞口に対面する部分及び始動入賞装置に対面する部分は平面部（４２）になり、光の屈折に伴う虹状の発色が原因で大入賞口及び始動入賞装置の視認性を損なうのを防止できる。
【００１１】
大入賞口は特別遊技（いわゆる大当たり遊技）において開放されるので、重要な入賞口であり特別遊技の実行時には遊技者が大いに注目する部分である。
一方、始動入賞装置は、そこへの入賞が特別遊技の実行、不実行を決めるための処理の開始に必須であるから、特別遊技の実行前の状態で遊技者が大いに注目する部分である。
【００１２】
また、これら大入賞口及び始動入賞装置は上記のように重要な入賞口（入賞装置）であるから、その周辺での遊技球の挙動、特にこれらに向かって流下する遊技球の挙動は遊技者にとって重要であり、注目する。これら大入賞口に対面する部分及び始動入賞装置に対面する部分を平面部（４２）にすることで、大入賞口及び始動入賞装置のみでなく、これらへの球筋、これらの周辺での遊技球の挙動、入賞の有無等を遊技者が確実に視認できる。
【００１３】
しかも、透明カバーは、上記の平面部（４２）が他の部分よりも遊技者側に突出した３次元形状であるから、パチンコ遊技機のデザインを立体的にできる。
【００１６】
【発明の実施の形態】
次に、本発明の実施例により発明の実施の形態を説明する。
【００１７】
【実施例】
図１に示すように、パチンコ遊技機１０はプラスチック製の本体枠１２、上下一対のヒンジ１４、１５により本体枠１２に蝶着されているプラスチック製の中枠１６を備えており、これら本体枠１２及び中枠１６にて各部を支持する構造である。なお、図示はしないが、パチンコ遊技機１０の向かって左側に周知のカードリーダユニット（ＣＲユニット）が取付けられる場合がある。
【００１８】
中枠１６には窓枠体２２、皿ユニット２４及び下部ユニット２６が取り付けられている。また、下部ユニット２６の下方には本体枠１２に固着された幕板２８が配されている。
窓枠体２２は、上ヒンジ１４と中ヒンジ１７とによって軸支されて扉状に開閉可能に中枠１６に保持されている。通常は、窓枠体２２は中枠１６に装着された錠装置２３にて中枠１６にロックされており、中枠１６自身も錠装置２３によって本体枠１２にロックされている。錠装置２３を例えば時計回りに開錠操作すれば窓枠体２２を開放でき、これを反時計回りに開錠操作すれば中枠１６を開放できる。窓枠体２２は、ヒンジ軸等、ごく一部の金属製部品を除いて、全てプラスチック製である。
【００１９】
窓枠体２２の背後には、中枠１６に保持された遊技盤５０（図３参照）が配されており、窓枠体２２を閉じた状態では遊技盤５０の全域が覆われ開けば遊技盤５０を露出させることができる。
皿ユニット２４は、発射装置に供給するための遊技球を貯留し、また賞球として払い出された遊技球を受け容れる受皿３０と、これを支持する扉板３１とからなっている。また、扉板３１には、パチンコ遊技機１０の本体部から賞球又は貸球として払い出される遊技球を受皿３０に導入するための導入樋３４が設けられている。
【００２０】
扉板３１は、中ヒンジ１７と下部ユニット２６との境界部に配されたヒンジ（図示されない）とによって軸支されることで中枠１６に保持されているので、皿ユニット２４を中枠１６に対して扉状に開閉可能である。なお、皿ユニット２４のための錠機構は無く、皿ユニット２４は窓枠体２２を開放しなければ開放できない構造であり、窓枠体２２を介して施錠される。
【００２１】
受皿３０の上部の前縁部には、ＣＲユニットに挿入したプリペイドカードによる遊技球の貸出を要求するための貸出ボタン、プリペイドカードの排出を要求するための精算ボタン、プリペイドカードの残高を表示するための残高表示器が装着されている。
【００２２】
受皿３０の内部には、遊技球を外部に排出するための球抜き通路（図示は省略、排出口は受皿３０の最下部に開口している。）が設けられており、受皿３０の上面と扉板３１の上隅部とに球抜き通路を開閉するための球抜き操作部３２、３３が設けられている。球抜き操作部３２を開放操作すると、受皿３０から発射装置に向かう遊技球を１列で誘導する供給経路の末端部分と球抜き通路とが連通し、受皿３０の遊技球が供給経路から球抜き通路に流入して排出される。一方、球抜き操作部３３を開放操作すると、扉板３１を貫通している導入樋３４の床部分が開放されて導入樋３４と球抜き通路とが連通し、導入樋３４から上流（本体部側）に貯まっていた遊技球が球抜き通路に流入して排出される。
【００２３】
皿ユニット２４も、ヒンジ軸等、ごく一部の金属製部品を除いて、全てプラスチック製である。
下部ユニット２６には灰皿３５と発射ハンドル３６が装着されている。下部ユニット２６は全てプラスチック製である。
【００２４】
図２に示すように、窓枠体２２には円形の窓４０が設けられ、そこにはプラスチック製の透明カバー４１がはめ込まれている。透明カバー４１の中央部は平坦な平面部４２であり、その左右は円錐の側面状の傾斜面４３となっている。また、外周部分４４は窓４０の内周に密着する筒状であり、その端部には位置決め及び針金等の挿入防止を目的としたフランジ４５が設けられている。このため、透明カバー４１と窓４０の隙間から針金等を挿し込むことはできない。
【００２５】
透明カバー４１は、図２（ｃ）に良好に示されるとおり、平面部４２が他の部分よりも遊技者側に突出した３次元形状である。
また透明カバー４１の背後には透明板に該当するガラス板４６が配され、窓枠体２２に保持されている。
【００２６】
遊技盤５０の構造は図３に示すとおりである。
遊技盤５０にはガイドレール５１、５２が取り付けられており、これらによって囲まれる略円形の領域が遊技領域５３となる。
遊技領域５３の中央部には、上部に普通入賞口５４を、下部に図柄表示装置５５（表示部は３個の７セグメントＬＥＤ）を備えるセンター役物５６が取り付けられており、その下方には始動ゲート５７が配されている。始動ゲート５７の下方には電動チューリップである始動入賞装置５８が配され、その下方には大入賞口５９を備える大入賞装置６０（図示は大入賞口５９が開放された状態）が配されている。
【００２７】
センター役物５６の横には、ランプ風車６１及び普通入賞口６２がそれぞれ左右で対をなして配されている。また、普通入賞口６２の下方には、サイド飾り６３と一体化された普通入賞口６４、６５がそれぞれ左右で対をなして配されている。
【００２８】
そして、遊技領域５３の最下部には、遊技領域５３を通過してきた遊技球をアウト球として排出するためのアウト穴６６が設けられている。
なお、遊技領域５３には周知の障害釘や風車も配されているが、これらの図示と説明は省略する。
【００２９】
このパチンコ遊技機１０においては、遊技球が始動ゲート５７を通過すると抽選処理が行われ、その抽選が当たりであると始動入賞装置５８が開放される。開放された始動入賞装置５８は開放時間が設定値に達するか設定個数の入賞があると閉鎖される。なお、始動入賞装置５８が閉鎖されていてもこれに入賞可能である。
【００３０】
始動入賞装置５８に入賞すると、いわゆる保留満杯のときを除いて大当たり抽選が行われ、図柄表示装置５５にては図柄の変動表示後に大当たり抽選の結果を示す図柄が確定表示される。大当たり抽選が当たりであると、例えば７７７のように３図柄が揃った態様の大当たり図柄が確定表示され、これが外れであると３図柄が揃わない態様の外れ図柄（例えば７７１、３５９等）が確定表示される。そして、大当たり抽選が当たりであれば、大当たり図柄の確定表示を待ってから特別遊技が開始され大入賞口５９が上限回数例えば１６ラウンドまで開放される。
【００３１】
また、始動入賞装置５８、大入賞口５９、普通入賞口６２、６４、６５に入賞すれば、各入賞口に対応する個数の賞球が払い出される。
上述したように、窓枠体２２を閉じた際には遊技盤５０の前面側を覆うが、このときに遊技領域５３の手前（遊技者）側の限界がガラス板４６によって規定される。また、ガラス板４６と遊技者の間には透明カバー４１が位置する。
【００３２】
透明カバー４１の外周は、図３に２点鎖線で示すとおり、ガイドレール５１、５２に沿っており（遊技領域５３の輪郭にほぼ対応しており）、窓枠体２２を閉じた際には遊技領域５３のほぼ全域を覆う。そして、中央の平面部４２によって覆われる部分には、センター役物５６（普通入賞口５４及び図柄表示装置５５）、普通入賞口６２、始動ゲート５７、始動入賞装置５８、大入賞装置６０及び普通入賞口６４、６５が配されている。
【００３３】
すなわち、平面部４２は、パチンコ遊技に必須の要素である入賞口の全てが含まれる領域を覆っており、それらの中には特別遊技（いわゆる大当たり遊技）において開放される大入賞口５９も、そこへの入賞が特別遊技の実行、不実行を決めるための大当たり抽選処理の開始に必須となる始動入賞装置５８も含まれている。
【００３４】
大入賞口５９は特別遊技（いわゆる大当たり遊技）において開放されるので、重要な入賞口であり特別遊技の実行時には遊技者が大いに注目する部分である。一方、始動入賞装置５８は、そこへの入賞が特別遊技の実行、不実行を決めるための大当たり抽選処理の開始に必須であるから、特別遊技の実行前の状態で遊技者が大いに注目する部分である。
【００３５】
また、これら大入賞口５９及び始動入賞装置５８は上記のように重要な入賞口（入賞装置）であるから、その周辺での遊技球の挙動、特にこれらに向かって流下する遊技球の挙動は遊技者にとって重要であり、注目する。
これら大入賞口５９に対面する部分及び始動入賞装置５８に対面する平面部４２部分が一連の平面状とされていて、光の屈折に伴う虹状の発色が生じないから視認性が良く、大入賞口５９及び始動入賞装置５８のみでなく、これらへの球筋、これらの周辺での遊技球の挙動、入賞の有無等を遊技者が確実に視認できる。
【００３６】
言うまでもないが、大入賞口５９及び始動入賞装置５８だけでなく普通入賞口５４、６２、６４、６５についても入賞の有無を遊技者が確実に視認でき、各入賞口５４、６２、６４、６５への球筋、その周辺での遊技球の挙動等も視認できる。
【００３７】
また、始動入賞装置５８を開放動作させるきっかけとなる始動ゲート５７も透明カバー４１の平面部４２によって覆われる部分に含まれているので、始動ゲート５７のみでなく、これへの球筋、これの周辺での遊技球の挙動、通過の有無等を遊技者が確実に視認できる。
【００３８】
さらに、特別遊技の開始に先立ってこれ実行されることを大当たり図柄で表示する図柄表示装置５５も透明カバー４１の平面部４２によって覆われる部分に含まれている。図柄表示装置５５の表示部は大当たり図柄の表示に用いられるので、遊技者が最も注目する部分であり、この表示部の視認性が透明カバー４１（平面部４２）によって損なわれないから、遊技者が不快を感じるおそれがない。また、遊技上で最重要と言っても過言ではない図柄が虹状の発色で誤認識されるおそれもない。
【００３９】
以上のように、透明カバー４１の中央部を平面部４２としているので、遊技領域５３の中央部の視認性が例えば虹色の発色などで損なわれることがなく、視認性は良好である。このため視認性の低下が原因となって遊技者が不快を感じるおそれはない。
【００４０】
しかも、透明カバー４１は、平面部４２が他の部分よりも遊技者側に突出した３次元形状であるから、パチンコ遊技機１０のデザインを立体的にできる。
以上、実施例にしたがって本発明の実施の形態を説明したが、本発明はこの例に限定されるものではない。
【００４１】
例えば実施例では図柄表示装置５５の表示部を３個の７セグメントＬＥＤで構成しているが、液晶ディスプレイ、ＣＲＴ、プラズマディスプレイ、ＥＬディスプレイ等の表示手段を採用してもよい。或いはドラムやベルトによる回転式の表示装置を用いてもよい。
【００４２】
また、実施例では、透明カバー４１の平面部４２にて覆われる領域にセンター役物５６（図柄表示装置５５）、普通入賞口６２、始動ゲート５７、始動入賞装置５８、大入賞装置６０及び普通入賞口６４、６５を配置しているが、少なくとも図柄表示装置５５が含まれる領域、望ましくは図柄表示装置５５、始動入賞装置５８及び大入賞口５９が含まれる領域（図柄表示装置を備えない機種にあっては大入賞口のみでもよい）が透明カバー４１の平面部４２にて覆われればよく、重要度の低い普通入賞口５４、６２、６４、６５のいくつか又は全部が平面部４２にて覆われる領域の外に配されてもよい。
【００４３】
なお、始動入賞装置５８は、これに入賞すると開放される構成とすることができる。この場合、始動ゲート５７は必須ではなくなるがこれを設けてもよい。
【図面の簡単な説明】
【図１】  実施例のパチンコ機の正面図。
【図２】  実施例のパチンコ機の窓枠体の説明図であり、（ａ）は正面図、（ｂ）は側面図、（ｃ）はＡＡ−ＡＡ断面図である。
【図３】  実施例のパチンコ機の遊技盤の正面図。
【符号の説明】
１０    パチンコ遊技機
２２    窓枠体
４０    窓
４１    透明カバー
４２    平面部
４６    ガラス板
５０    遊技盤
５３    遊技領域
５４、６２、６４、６５  普通入賞口
５５    図柄表示装置
５６    センター役物
５７    始動ゲート
５８    始動入賞装置
５９    大入賞口
６０    大入賞装置
【図１】
0004368089.tif 000002
【図２】
0004368089.tif 000003
【図３】
0004368089.tif 000004